(57)【要約】【課題】レンジフード用消火器をコンパクト化するとともに、取り付けを簡単にして低コスト化と長期間耐久性およびメンテナンス性の向上をはかる。【解決手段】内部に消火薬剤を充填した加圧もしくは蓄圧式の消火器本体と、該消火器本体に直接に取り付けられ、しかも消火器本体内部に連通させた消火薬剤放出ノズルと、該消火薬剤放出ノズルの開口部に、該開口部を閉塞すべく、しかも一定の炎熱温度で溶融するハンダ等の接着手段を介して取り付けられた集熱板とからなる。  これにより装置の全体をコンパクトにしてレンジフード内に取り付け可能とするとともに、空間占有体積を著しく減少させ、また低コストで耐久性維持やメンテナンス性の面においても信頼性が高い自動消火器を提供することができる。【選択図】図１
2004242993.tif 000002
【特許請求の範囲】
【請求項１】
内部に消火薬剤を充填した加圧もしくは蓄圧式の消火器本体と、該消火器本体に直接に取り付けられ、しかも消火器本体内部に連通させた消火薬剤放出ノズルと、該消火薬剤放出ノズルの開口部に、該開口部を閉塞すべく、しかも一定の炎熱温度で溶融するハンダ等の接着手段を介して取り付けられた集熱板とからなるレンジフード内取付用消火器。
【請求項２】
消火器本体の長さ方向両端部における少なくとも一方には、消火器本体の長さ方向に伸縮調整自在のアジャスター装置が取り付けられているところの請求項１に記載のレンジフード内取付用消火器。
【請求項３】
消火薬剤放出ノズルが、消火器本体の管胴部に取り付けられたものであるところの請求項１又は請求項２に記載のレンジフード内取付用消火器。
【請求項４】
消火器本体には内部圧力計が取り付けられているところの請求項１〜３のいずれか１に記載のレンジフード内取付用消火器。
【発明の詳細な説明】
【０００１】
【発明の属する技術分野】
本発明は、台所のガスや電気等の加熱手段を用いるレンジまわりでの火災発生に対応して直ちに自動的に消火作業をおこなわせるべく、上部のレンジフードに取り付けるようにした消火器の改良に関し、長期設置による機能障害が少なく、しかもコンパクト化により設置スペースの減少と低コスト化をはかることを目的とする。
【０００２】
【従来の技術】
厨房のレンジまわりで発生した火災の消火対策としては、これまで図３にもあらわしたように、上面にバーナー２２を備えたレンジ２１の上方部に設置されたレンジフード２３内に、火炎をうけて一定の高温度に達した際に溶融落下して放射口を開口させる熱感知部を備えた消火薬剤放出器２４が、上記放射口を下向きにした状態にて適当な取り付けバー２５等を介して取り付けられるとともに、レンジフード２３の外側外壁部には消火薬剤を充填した蓄圧式消火装置本体２６が取り付けられている。
【０００３】
さらに該蓄圧式消火装置本体２６と、前記したレンジフード２３の内部に設置した消火薬剤放出器２４との間に導管２７を気密に介在連通させて構成され、レンジ２１上において火災が発生した場合に、消火薬剤放出器２４の熱感知部が火炎により高温となり、溶融落下して開口部が開口されると同時に蓄圧式消火装置本体２６から圧送される消火薬剤が導管２７を介して消火薬剤放出器２４の開口部よりレンジ１の上面に向けて放射されることにより自動消火されるようになっている。
【０００４】
【発明が解決しようとする課題】
しかしながら、上記した在来の厨房用自動消火装置にあっては、消火装置の本体２６がレンジフード２３の外側に取り付けられるために、レンジフード２３の内部に消火薬剤放出器２４を取り付ける工事のほかに、レンジフード２３の外側に消火装置本体２６を取り付ける工事と、さらに該消火装置本体２６と前記した消火薬剤放出器２４とを連絡する導管２７の取り付け接続工事とを必要とするために、比較的大掛かりな工事でコスト高となるばかりでなく、長期間にわたる設置の場合には地震などにより経時的に、次第に接続各部に緩みや亀裂を生じやすく、耐久性維持やメンテナンス性の面においては改善が望まれていた。
【０００５】
またそればかりでなく、消火装置本体２６をレンジフード２３の外側に取り付けるために消火装置本体２６を格納するボックスをレンジフード２３の外側に別付けで取り付けることになり、空間占有体積が増大してキッチン収納が狭くなるという難点がある。  また消火装置本体２６と消火薬剤放出器２４とを接続する導管２７の敷設穴あけ工事など専門的な工事を必要とし、しかも現地工事で配管する必要があるために、気密保持検査が目視によるほかなく、したがって長期にわたる信頼性の面でも問題がある。
【０００６】
【課題を解決するための手段】
そこで本発明は、上記した従来技術における問題点を解決し、導管を不要として長期設置による機能障害を著しく減少させるとともに、全体をレンジフード内に纏められるよう全体をコンパクト化することにより設置スペースの減少と低コスト化、およびレンジフード内取り付けの容易化をはかるようにしたものである。
【０００７】
すなわち請求項１の発明は、内部に消火薬剤を充填した加圧もしくは蓄圧式の消火器本体と、該消火器本体に直接に取り付けられ、しかも消火器本体内部に連通させた消火薬剤放出ノズルと、該消火薬剤放出ノズルの開口部に、該開口部を閉塞すべく、しかも一定の炎熱温度で溶融するハンダ等の接着手段を介して取り付けられた集熱板とからなるレンジフード内取付用消火器に関する。
【０００８】
また請求項２の発明は、消火器本体の長さ方向両端部における少なくとも一方には、消火器本体の長さ方向に伸縮調整自在のアジャスター装置が取り付けられているところの請求項１に記載のレンジフード内取付用消火器に関する。  さらに請求項３の発明は、消火薬剤放出ノズルが、消火器本体の管胴部に取り付けられたものであるところの請求項１又は請求項２に記載のレンジフード内取付用消火器に関する。  さらに請求項４の発明は、消火器本体には内部圧力計が取り付けられているところの請求項１〜３のいずれか１に記載のレンジフード内取付用消火器に関する。
【０００９】
上記した構成において、レンジ周りで火災を発した場合に、その火炎もしくは炎熱が集熱板に達してハンダ等の接着手段を溶融させ、集熱板を落下させて閉塞していた消火薬剤放出ノズルの開口部を開口させる。  これにより常時消火器本体内から押圧されている消火薬剤がレンジ上に噴射されて自動的に消火活動を実施する。
【００１０】
また消火器本体の長さ方向両端部における少なくとも一方に、消火器本体の長さ方向に伸縮調整自在のアジャスター装置が取り付けられている場合においては、アジャスターにより長さを調整しつつ、消火器本体をレンジフード内の左右両壁面に対して圧迫保持させることにより容易に取り付けることができる。
【００１１】
【発明の実施の形態】
以下において本発明の具体的な内容を図１〜２の実施例をもとに説明すると、１は消火器本体、４は消火器本体に直接に取り付けられた消火薬剤放出ノズル、１０はアジャスター装置を示す。  消火器本体１は、この場合蓄圧式のもの、あるいは小型高圧ガスボンベを内臓した加圧式のものの何れのものでも使用が可能であるが、主に天麩羅火災の発生が予想される箇所では泡消火薬剤を充填した蓄圧式のものがより好ましい。
【００１２】
消火薬剤放出ノズル４は、ノズル取り付け金具５と、集熱板取り付け金具７、および集熱板９とからなり、前記した消火器本体１の管胴部２に穿設した通孔３に位置合わせしてノズル取り付け金具５を溶接等により取り付けるとともに、パッキング６を介して集熱板取り付け金具７を取り付け、さらに該集熱板取り付け金具７の開口部を閉塞させるべく、中央部を湾状に凹入させた集熱板９を、上記集熱板取り付け金具７の取り付け部との間にハンダ等の一定の炎熱温度（火災の炎熱により溶融する温度）で溶融する接着手段８により取り付けてある。
【００１３】
またアジャスター装置１０は、消火器本体１の長さ方向両端部における少なくとも一方に取り付けられ、消火器本体１の長さ方向に向けて突出させたところの、外筒１０ａおよび該外筒１０ａ内に進退し、締め付けネジ１０ｃにより締め付け固定可能な内筒１０ｂ、および該内筒１０ｂの先端に取り付けた固定板１１とから構成され、これにより消火器本体１の長さ方向に向けて伸縮調整自在に取り付けられる。
【００１４】
なお、図１の実施例においてはアジャスター装置１０が消火器本体１の長さ方向における一方の端部（消火器本体の底部）のみに取り付けられ、もう片方は、消火器本体１におけるヘッド部１ａの先端にもう一方の固定板１１が取り付けられている。  なお図中において１２は消火器本体１内の蓄圧ガス圧を常時表示するための圧力計、１３は消火剤の充填口をあらわしている。
【００１５】
また上記の実施例においては、消火薬剤放出ノズル４が、消火器本体１の管胴部２に取り付けられているが、消火器本体１の端部、例えば圧力計１２の取り付け部分あたりに取り付けるようにしてもよい。
【００１６】
上記した構成において、消火器本体１をレンジフード（図示省略）内の左右両内壁面１４ａ・１４ｂに支承させて取り付ける。  すなわち具体的には、消火器本体１の長さ方向一端部（ヘッド部１ａ）側の固定板１１をレンジフードの内壁面１４ｂに当接させるとともに、反対側のアジャスター装置１０により長さを調整し、外筒１０ａに対して内筒１０ｂを伸縮させて固定板１０ｂをレンジフードの内壁面１４ａに十分に圧接させたところで締め付けネジ１０ｃにより締め付け固定することによってレンジフード内の左右両壁面１４ａ・１４ｂに対して圧迫保持させることにより取り付けることができる。
【００１７】
また消火器の取り付け後、レンジ周りで火災を発した場合には、その火炎もしくは炎熱が集熱板９に達してハンダ等の接着手段８を溶融させ、集熱板９を落下させて閉塞していた消火薬剤放出ノズル４の開口部を開口させる。  これにより常時消火器本体１内から押圧されている消火薬剤がレンジ上に噴射されて自動的に消火活動を実施することができる。
【００１８】
【発明の効果】
本発明は上記した通り、内部に消火薬剤を充填した加圧もしくは蓄圧式の消火器本体と、該消火器本体に直接に取り付けられ、しかも消火器本体内部に連通させた消火薬剤放出ノズルと、該消火薬剤放出ノズルの開口部に、該開口部を閉塞すべく、しかも一定の炎熱温度で溶融するハンダ等の接着手段を介して取り付けられた集熱板とからなるものであるために、装置の全体がコンパクトでレンジフード内に取り付けることができ、空間占有体積が著しく減少する。
【００１９】
また取り付けに専門的な工事が必要ないために、低コストで、しかも従来のような消火装置本体と消火薬剤放出器との間を連絡する導管なども必要がないために、耐久性維持やメンテナンス性の面においてもきわめて信頼性が高い。
【図面の簡単な説明】
【図１】本発明の一実施例であるレンジフード内取付用消火器の概略をあらわした正面図。
【図２】図１における消火薬剤放出ノズルの部分拡大断面図。
【図３】従来のレンジフード用消火装置の取り付け状態の概略をあらわしたレンジフードの正面図。
【符号の説明】
１      消火器本体
２      管胴部
３      通孔
４      消火薬剤放出ノズル
５      ノズル取り付け金具
６      パッキング
７      集熱板取り付け金具
８      接着手段
９      集熱板
１０      アジャスター装置
１０ａ    外筒
１０ｂ    外筒
１０ｃ    締め付けネジ
１１      固定板
１２      圧力計
１３      消火剤の充填口
【図１】
2004242993.tif 000003
【図２】
2004242993.tif 000004
【図３】
2004242993.tif 000005